(57)【要約】【課題】  ボタン電話機毎のＬＣＤバックライト点灯時間を、複数の時間値で設定可能にし、利用者の好みや設置場所による用途への適合を図る。【解決手段】  １以上の外線および複数の内線を有し、バックライト点灯時間記憶手段１６２と、バックライト点灯時間記憶手段の内容をボタン電話機に周期的に送信するデータ送信手段１１１を備えたボタン電話主装置１０と、操作部３０と、バックライト４２付きＬＣＤ表示部と、ボタン電話主装置からバックライト点灯時間を受信するバックライト点灯時間受信手段２１１と、バックライト制御手段２１７とを備えた複数のボタン電話機２０とからなるボタン電話装置において、ボタン電話主装置１０から周期的にバックライト点灯時間データを送信し、これをボタン電話機２０で受信すると（Ｓ２３）、バックライト点灯時間データを上書き設定する（Ｓ２４）。【選択図】      図５
2005109646.tif 000002
【特許請求の範囲】
【請求項１】
１以上の外線および複数の内線を有するボタン電話主装置と、前記内線に接続される複数のボタン電話機とからなるボタン電話装置において、
前記ボタン電話主装置が、前記ボタン電話機毎のバックライト点灯時間を設定・記憶しておくバックライト点灯時間記憶手段と、前記バックライト点灯時間記憶手段の内容を前記ボタン電話機に周期的に送信するデータ送信手段を備え、
前記ボタン電話機が、ダイヤルキーおよび各種機能キーからなる操作部と、バックライト付きＬＣＤ表示部と、前記ボタン電話主装置から前記バックライト点灯時間を受信するバックライト点灯時間受信手段と、前記操作部の入力が前記バックライト点灯時間受信手段により受信した前記バックライト点灯時間内になかった場合、該バックライトを消灯する制御をおこなうバックライト制御手段とを備えた
ことを特徴とするボタン電話装置。
【請求項２】
１以上の外線および複数の内線を有するボタン電話主装置と前記内線に接続される複数のボタン電話機とからなるボタン電話装置を構成するボタン電話機において、
ダイヤルキーおよび各種機能キーからなる操作部と、バックライト付きＬＣＤ表示部と、前記ボタン電話主装置からバックライト点灯時間を受信するバックライト点灯時間受信手段と、前記バックライト点灯時間受信手段が前記バックライト点灯時間を受信できなかった場合、前記操作部の入力がボタン電話機内部で予め設定されたバックライト点灯時間内になかった場合、該バックライトを消灯する制御をおこなうバックライト制御手段とを備えたことを特徴とするボタン電話機。
【請求項３】
１以上の外線および複数の内線を有するボタン電話主装置と前記内線に接続される複数のボタン電話機とからなるボタン電話装置を構成するボタン電話主装置において、
前記ボタン電話機毎のバックライト点灯時間を設定・記憶しておくバックライト点灯時間記憶手段と、前記バックライト点灯時間記憶手段の内容を前記ボタン電話機に周期的に送信するデータ送信手段を備えたことを特徴とするボタン電話主装置。
【発明の詳細な説明】
【技術分野】
【０００１】
本発明は、バックライト付きＬＣＤ表示部を備えたボタン電話装置およびボタン電話機に関する。
【背景技術】
【０００２】
ボタン電話機における表示手段としてバックライト付きＬＣＤが利用されており、このバックライトは、省電力化のためキー操作が一定時間内になかった場合、消灯させる処理をボタン電話機の内部処理でおこなっている。
【０００３】
また、最近では、単純にキー操作が一定時間内になかった場合に消灯させるのではなく、ＬＣＤに表示されるデータ量に応じてバックライト点灯時間を可変設定する手段を設けること（例えば、特許文献１参照）や、利用者の操作が不要となった時点でバックライトを消灯するように制御する手段を設けること（例えば、特許文献２参照）などの工夫がなされている。
【０００４】
しかし、いずれも端末装置（ボタン電話機）単独でバックライト点灯時間を規定しており、ボタン電話装置等の構内電話システムに適用した場合、利用者毎の好みや、設置場所による用途によっては充分に適合できない状況が発生している。
【０００５】
すなわち、ボタン電話機の設置場所が薄暗いところでは常時点灯させる必要があるし、逆に、設置場所が明るいところでは、省電力化の面からも点灯させる必要はない。
【０００６】
また、事業所等で電話受付を主要業務としている利用者では、担当者へ電話を取りつぐまで、バックライトが点灯し例えば発信者番号情報等を明るく表示するよう点灯時間を長くして欲しいとの要求があり、逆に電話を取りつがれ応答した利用者は、バックライト点灯時間が短くても不都合は発生しない。
【０００７】
さらに、端末装置（ボタン電話機）単独で点灯時間を規定していると、例えば、ボタン電話機が故障し代品交換した場合には、再度点灯時間を設定し直す必要がある。
【特許文献１】特許第３３１４６１５号公報
【特許文献２】特開２００３−１３１１９３号公報
【発明の開示】
【発明が解決しようとする課題】
【０００８】
本発明は、ボタン電話主装置とバックライト付きＬＣＤ表示部を備えたボタン電話機からなるボタン電話装置等の構内電話システムにおいて、ボタン電話主装置は、各ボタン電話機毎のバックライト点灯時間（常時点灯および常時消灯を含む）を、複数の時間値で設定することが可能とされ、利用者の好みや設置場所による用途への適合を図ると共に、ボタン電話機の故障などにより代品交換した場合にも、バックライト点灯時間を再設定せずに運用可能とすることを第１の目的とする。
【０００９】
また、一般的にボタン電話機は、各種のボタン電話主装置に接続できるように構成されるが、接続したボタン電話主装置がバックライト点灯時間の設定・記憶に対応していない場合、ボタン電話機内部で予め設定されたバックライト点灯時間で運用可能とすることを第２の目的とする。
【課題を解決するための手段】
【００１０】
上記課題を解決するために、本発明は、１以上の外線および複数の内線を有するボタン電話主装置と、前記内線に接続される複数のボタン電話機とからなるボタン電話装置において、前記ボタン電話主装置が、前記ボタン電話機毎のバックライト点灯時間を設定・記憶しておくバックライト点灯時間記憶手段と、前記バックライト点灯時間記憶手段の内容を前記ボタン電話機に周期的に送信するデータ送信手段を備え、前記ボタン電話機が、ダイヤルキーおよび各種機能キーからなる操作部と、バックライト付きＬＣＤ表示部と、前記ボタン電話主装置から前記バックライト点灯時間を受信するバックライト点灯時間受信手段と、前記操作部の入力が前記バックライト点灯時間受信手段により受信した前記バックライト点灯時間以内になかった場合、該バックライトを消灯する制御をおこなうバックライト制御手段とを備えたことを特徴とする。
【００１１】
また、本発明は、１以上の外線および複数の内線を有するボタン電話主装置と、前記内線に接続される複数のボタン電話機とからなるボタン電話装置において、前記ボタン電話機が、ダイヤルキーおよび各種機能キーからなる操作部と、バックライト付きＬＣＤ表示部と、前記ボタン電話主装置から前記バックライト点灯時間を受信するバックライト点灯時間受信手段と、前記バックライト点灯時間受信手段が前記バックライト点灯時間を受信できなかった場合、前記操作部の入力がボタン電話機内部で予め設定されたバックライト点灯時間内になかった場合、該バックライトを消灯する制御をおこなうバックライト制御手段とを備えたことを特徴としたボタン電話機を提供する。
【発明の効果】
【００１２】
本発明によれば、ボタン電話装置等の構内電話システムで、バックライト付きＬＣＤ表示部を備えたボタン電話機を使用したときに、ボタン電話機の利用者の好みや設置場所による用途に応じて、ボタン電話機のバックライト点灯時間を設定することができ、バックライト点灯時間はボタン電話主装置に記憶され、周期的にボタン電話機へ送られることにより、ボタン電話機の故障などにより代品交換した場合にも、バックライト点灯時間を再設定せずに運用できる。
【００１３】
また、本発明によれば、前記ボタン電話機を、バックライト点灯時間の設定・記憶に対応していないボタン電話主装置に接続した場合、ボタン電話機内部で予め設定されたバックライト点灯時間で運用が可能になることにより、１種類のボタン電話機で各種のボタン電話主装置に接続できるため、製造・販売でのボタン電話機の機種統合が図れる。
【発明を実施するための最良の形態】
【００１４】
以下、本発明の実施形態について説明する。なお、以下の実施形態では、ボタン電話装置としてボタン電話主装置と該主装置に接続された有線式ボタン電話機を例にあげて説明する。しかし、本発明はこれに限定されない。例えば、有線式ボタン電話機の代わりに無線式ボタン電話機を用いることができる。また、本発明は、ボタン電話装置で実施するだけでなく、ボタン電話機を収容する構内交換装置で実施してもよい。
【００１５】
図１は、本発明にかかるボタン電話装置を構成する１以上の外線および複数の内線を有するボタン電話主装置１０の構成概略図である。図２は、本発明にかかるボタン電話装置を構成する前記内線に接続されるボタン電話機２０の構成概略図である。図３は、本発明の中央制御部１１と、記憶部１６と、制御部２１の機能ブロック図である。図４は、本発明のボタン電話主装置１０の中央制御部１１内のデータ送信手段１１１のフローチャートである。図５は、本発明のボタン電話機２０の制御部２１のフローチャートである。
【００１６】
まず、図１を用いてボタン電話主装置１０の構成の概要を説明する。ボタン電話主装置１０は、中央制御部１１と、通話路スイッチ１２と、１以上の外線回路１３−１〜１３−ｎと、トーン送出部１４と、複数の内線回路１５−１〜１５−ｎと、記憶部１６を有して構成される。
【００１７】
中央制御部１１は、ボタン電話主装置１０の各回路からの入力情報（ボタン電話機からの情報も含む）に対する解析や判断、記憶部１６に対する情報の入出力、各回路の制御をおこなう。
【００１８】
通話路スイッチ１２は、ボタン電話主装置１０内の交換処理（外線と内線の接続、各音源の内線、外線への接続）をおこなう。
【００１９】
外線回路１３−１〜１３−ｎは、外線に接続されるインタフェース回路である。
【００２０】
トーン送出部１４は、内線にダイヤルトーンや話中音を送出するとき、および外線へ保留音を送出するとき、等に通話路スイッチ１２を経由して外線や内線に接続される。
【００２１】
内線回路１５−１〜１５−ｎは、ボタン電話機２０−１〜２０−ｎと音声データ、制御データの通信をおこなうためのインタフェース回路である。
【００２２】
記憶部１６は、通常の記憶部としての働きの他に、ボタン電話機２０−１〜２０−ｎ毎のバックライト点灯時間を記憶しておく働きを有している。
【００２３】
次に、図２を用いてボタン電話機２０の構成の概要を説明する。ボタン電話機２０は、制御部２１と、データ送受信回路２２と、音声処理部２３と、送受話器２４と、スピーカ２５と、操作部３０と、ＬＣＤ表示部４０を有して構成される。
【００２４】
制御部２１は、ボタン電話機内の各回路からの入力情報に対する解析や判断、各回路の制御をおこない、バックライト４０の点灯、消灯の制御をおこなう。
【００２５】
データ送受信回路２２は、ボタン電話主装置１０の内線回路１５−１〜１５−ｎに接続され、音声データ、制御データの通信をおこなうためのインタフェース回路である。
【００２６】
音声処理部２３は、音声のデジタル／アナログ変換、アナログ／デジタル変換と、ボタン電話機内の送受話器２４やスピーカ２５等との通話路切替および音量を制御する。
【００２７】
送受話器２４は、一般的な通話時の送話、受話をおこなうためのハンドセットである。
【００２８】
スピーカ２５は、外線や内線の着信音送出やスピーカによる拡声受話出力に使用する。
【００２９】
操作部３０は、ダイヤルキー３１と、外線キー３２と、機能キー３３から構成される。
【００３０】
ダイヤルキー３１は、電話番号の入力に使用する。また、各種設定の入力手段としても用いられる。
【００３１】
外線キー３２は、複数ある外線から使用したい外線を選択するためのボタンである。
【００３２】
機能キー３３は、ボタン電話装置で一般的に使用する保留や拡声受話、各種設定への移行等のボタンである。
【００３３】
ＬＣＤ表示部４０は、ＬＣＤ４１と、バックライト４２から構成される。
【００３４】
ＬＣＤ４１は、一般的に反射型のＬＣＤによって構成されており、バックライト４２の点灯有無にかかわらず利用者は表示内容を参照することができる。表示される内容としては、ボタン電話機から外線に発信したときの相手電話番号、通話時間、通話料金表示等が代表的なものである。
【００３５】
バックライト４２は、ＬＣＤ４１の背面あるいは背面周辺部に設けられており、制御部２１によって点灯、消灯制御がおこなわれる。このバックライト４２が点灯することによってＬＣＤ４１を透過する光量を増大して、ＬＣＤ４１の表示を見やすくすることができる。
【００３６】
次に、図３を用いて、ボタン電話主装置１０の中央制御部１１内と、記憶部１６内の機能構成の概要、および、ボタン電話機２０の制御部２１内における機能構成の概要を説明する。ボタン電話主装置１０の中央制御部１１は、データ送信手段１１１と、周期起動手段１１２とを有している。また、記憶部１６は、送信要求データ１６１と、バックライト点灯時間記憶手段１６２とを有している。一方、ボタン電話機２０の制御部２１は、データ送受信手段２１１と、バックライト点灯時間受信手段２１２と、バックライト点灯時間データ２１３と、初期値設定手段２１４と、操作制御手段２１５と、バックライト点灯タイマー２１６と、バックライト制御手段２１７と、他の処理手段２１８とを有している。
【００３７】
ボタン電話主装置１０の中央制御部１１内のデータ送信手段１１１は、周期起動手段１１２によって周期的（例えば、１００ミリ秒）に起動され、送信要求データ１６１があった場合は、内線回路１５−１を経由して、ボタン電話機２０に対応するデータを送信し、送信要求データ１６１がなかった場合は、内線回路１５−１を経由して、ボタン電話機２０にバックライト点灯時間記憶手段１６２から読み出したバックライト点灯時間データを送信する機能を持った手段である。
【００３８】
周期起動手段１１２は、一定周期（例えば、１００ミリ秒）毎に、データ送信手段１１１を起動する機能を持った手段である。
【００３９】
送信要求データ１６１は、ボタン電話機２０−１〜２０−ｎへ送信すべき情報（例えば、ＬＣＤ４１への表示文字等）があった場合、中央制御部１１内の、他の処理で、送信要求情報を付与した構成で、記憶される（この処理は、従来のボタン電話装置で一般的におこなわれており、自明であるため図示していない）。
【００４０】
バックライト点灯時間記憶手段１６２は、ボタン電話機２０−１〜２０−ｎ毎に、バックライト点灯時間データとして設定された時間値を記憶しておく記憶手段である。なお、設定方法は、他の設定（例えば、外線着信鳴動有無の設定）と同様な方法で実施できるため説明は省略する。
【００４１】
ボタン電話機２０の制御部２１内のデータ送受信手段２１１は、ボタン電話主装置１０からのポーリング要求を検出し、データの送受信をおこなう手段である。
【００４２】
バックライト点灯時間受信手段２１２は、データ送受信手段２１１が、バックライト点灯時間を受信したかの判断をおこない、受信したバックライト点灯時間をバックライト点灯時間データ２１３に上書きする機能を持った手段である。
【００４３】
バックライト点灯時間データ２１３は、電源投入時には、初期値設定手段２１４により、初期設定（例えば、１５秒）され、バックライト点灯時間を受信した場合、受信した時間値をデータとして上書きされる。
【００４４】
初期値設定手段２１４は、電源投入時の初期設定で、バックライト点灯時間データに初期値（１５秒）を書き込む手段である。
【００４５】
操作制御手段２１５は、操作部３０からのキー入力を検出、解析し、必要な処理をおこなうとともに、キー入力があった場合は、バックライト点灯時間データ２１３の内容に応じて、バックライト点灯タイマー２１６の再セットをおこなう手段である。
【００４６】
バックライト点灯タイマー２１６は、バックライト点灯時間データ２１３の内容により、バックライト４２点灯時に、タイマー値がセットされ、操作制御手段２１５からの入力がなかった場合にタイムアウトする。
【００４７】
バックライト制御手段２１７は、バックライト４２の点灯制御をおこなう手段である。他の処理手段２１８は、ボタン電話機における本発明以外のその他の各種処理を行う手段である。
【００４８】
次に、図４を用いて、ボタン電話主装置１０の中央制御部１１内のデータ送信手段１１１が、内線回路１５−１を経由し、ボタン電話機２０へバックライト点灯時間の送信をおこなう動作を説明する。
【００４９】
ボタン電話主装置１０は、複数のボタン電話機２０−１〜２０−ｎに対する処理を一定周期（例えば、１００ミリ秒）で順次おこなっており、図４に示す通り１台のボタン電話機への送信データ処理が終了すると、次電話機への送信データ処理に移行するが、以下の説明では「次電話機の送信処理」への移行部分については説明を省略し、一台のボタン電話機に対する処理に限定している。
【００５０】
中央制御部１１では、ボタン電話主装置１０内の各回路からの入力情報（ボタン電話機２０−１〜２０−ｎからの情報も含む）により、各種の解析や判断をおこない、ボタン電話機２０−１〜２０−ｎへ送信すべき情報（例えば、ＬＣＤ４１への表示文字等）があった場合、記憶部１６に送信要求情報を付与した送信要求データ１６１として記憶しておく（この処理は、従来のボタン電話装置で一般的におこなわれており、自明であるため図示していない）。
【００５１】
また、ボタン電話機２０−１〜２０−ｎ毎に、バックライト点灯時間を設定し、記憶部１６に、バックライト点灯時間記憶手段１６２として記憶する必要があるが、これらの設定方法は自明であるため説明は省略する。（以下、バックライト点灯時間記憶手段１６２が設定・記憶されている前提で説明する。）
【００５２】
データ送信手段１１１は、送信要求データ１６１を参照し、送信要求データが有るかの判定をおこなう（Ｓ１０）。
【００５３】
送信要求データ１６１が有った場合、データ送信手段１１１は、内線回路１５−１を経由し、ボタン電話機２０へ送信要求データを送信する（Ｓ１１）。
【００５４】
また、データ送信手段１１１は、送信要求データ１６１の送信要求情報をクリアし、送信済みとし、次周期での二重送信を防止する（Ｓ１２）。
【００５５】
送信要求データ有りかの判断（Ｓ１０）で、送信要求データ１６１が無い場合、データ送信手段１１１は、バックライト点灯時間記憶手段１６２に記憶されているバックライト点灯時間データを、内線回路１５−１を経由し、ボタン電話機２０へ送信する（Ｓ１３）。
【００５６】
バックライト点灯時間データを、いつ送信するかは各種の実施例が考えられ、例えば、一定時間のタイマーを設け、そのタイムアウト毎に送信する構成などが考えられるが、本実施例では、他にボタン電話機２０へ送信すべきデータが無い場合に（処理の空き時間に）、送信する構成とし、一定時間のタイマーを設ける等の複雑な処理を採用しないことにした。
【００５７】
次に、図５を用いて、ボタン電話機２０の制御部２１内の処理を説明する。図５は、本発明に関する手段を主体に図示してある。
【００５８】
電源投入で処理が開始され、制御部２１は各種初期設定（図示していない）をおこない、その初期設定の中で、バックライト点灯時間データ２１３に、初期値設定手段２１４により初期値（例えば、１５秒）を設定する（Ｓ２０）。
【００５９】
この初期値は、ボタン電話主装置１０より、バックライト点灯時間データ２１３が送信されない場合、ボタン電話機内部で予め設定されたバックライト点灯時間で運用可能とするための処置である。
【００６０】
初期設定が終了すると通常処理に移行し、ボタン電話主装置１０からのポーリング要求が有るかの判定をおこなう（Ｓ２０）。このポーリング処理とは、ボタン電話主装置１０から一定周期（例えば、１００ミリ秒）毎に、データ送受信の要求が来ること、すなわちボタン電話機２０は、ボタン電話主装置１０に従属してデータ送受信をおこなっていることを示す。
【００６１】
ボタン電話主装置１０からのポーリング要求が有った場合、ボタン電話機２０は、ボタン電話主装置１０との間で、データ送受信をおこなう（Ｓ２２）。次に、受信したデータがバックライト点灯時間かの判定をおこなう（Ｓ２３）。
【００６２】
バックライト点灯時間を受信した場合、ステップＳ２０で初期設定したバックライト点灯時間データ２１３に、受信した時間値を上書き設定する（Ｓ２４）。その後、通常処理の先頭（Ｓ２１）に移行する。
【００６３】
ステップＳ２３で、バックライト点灯時間を受信しなかった場合（他のデータ、例えば、ＬＣＤ４１への表示文字）、他の処理をおこない（Ｓ２５）、その後、通常処理の先頭（Ｓ２１）に移行する。
【００６４】
ステップＳ２１で、ボタン電話主装置１０からのポーリング要求がなかった場合、制御部２１は、ボタン電話機２０の内部処理に移行し、バックライト点灯中かの判定をおこなう（Ｓ２６）。図示していないが、バックライト４２は、操作制御手段２１５より入力があった場合、およびボタン電話主装置１０から着信データを受信した場合等に、バックライト制御手段２１７からの制御で点灯させ、合わせて、バックライト点灯時間データ２１３に応じたバックライト点灯タイマー２１６をセットする。
【００６５】
バックライト点灯中の場合、操作制御手段２１５から入力が有るかの判定をおこない（Ｓ２７）、入力が有った場合は、バックライト点灯時間データ２１３の値に応じた、バックライト点灯タイマー２１６を再セットする（Ｓ２８）。その後、入力種別に応じた入力処理をおこない（Ｓ２９）、通常処理の先頭（Ｓ２１）に移行する。
【００６６】
ステップＳ２６で、バックライト点灯中ではない場合、他の処理（Ｓ２５）をおこない、通常処理の先頭（Ｓ２１）に移行する。
【００６７】
ステップＳ２７で、操作制御手段２１５からの入力がない場合、バックライト点灯タイマー２１６はタイムアウトしたかの判定をおこない（Ｓ３０）、タイムアウトしていた場合は、バックライト４２を消灯する制御をおこない（Ｓ３１）、他の処理をおこなった（Ｓ２５）後、通常処理の先頭（Ｓ２１）に移行する。
【００６８】
ステップＳ３０で、バックライト点灯タイマー２１６がタイムアウトしていない場合は、他の処理をおこなった（Ｓ２５）後、通常処理の先頭（Ｓ２１）に移行する。
【図面の簡単な説明】
【００６９】
【図１】本発明にかかるボタン電話主装置１０の構成概略図
【図２】本発明にかかるボタン電話機２０の構成概略図
【図３】本発明の中央制御部１１と、記憶部１６と、制御部２１の機能ブロック図
【図４】本発明のボタン電話主装置１０の中央制御部１１内のデータ送信手段１１１のフローチャート
【図５】本発明のボタン電話機２０の制御部２１内のフローチャート
【符号の説明】
【００７０】
１０  ボタン電話主装置
１１  中央制御部
１２  通話路スイッチ
１３  外線回路
１４  トーン送出部
１５  内線回路
１６  記憶部
２０  ボタン電話機
２１  制御部
２２  データ送受信回路
２３  音声処理部
２４  送受話器
２５  スピーカ
３０  操作部
４０  ＬＣＤ表示部
１１１  データ送受信手段
１１２  周期起動手段
１６１  送信要求データ
１６２  バックライト点灯時間記憶手段
２１１  データ送受信手段
２１２  バックライト点灯時間受信手段
２１３  バックライト点灯時間データ
２１４  初期値設定手段
２１５  操作制御手段
２１６  バックライト点灯タイマー
２１７  バックライト制御手段
２１８  他の処理手段
【図１】
2005109646.tif 000003
【図２】
2005109646.tif 000004
【図３】
2005109646.tif 000005
【図４】
2005109646.tif 000006
【図５】
2005109646.tif 000007